(57)【要約】【課題】商品見本を照明する照明灯が利用者に目に触れたとしても利用者に不快感を与えることがなく、また、商品見本を際立たせて展示することが可能な商品展示台を備えた自動販売機を提供する。【解決手段】キャビネット本体１の前面に開閉自在な外扉２と、前記外扉２に中扉３０１と透明板３０２により区画形成された商品展示室３とを備え、前記商品展示室３内に配設された商品展示台３１に載置された商品見本３０３０を照明する照明灯３２，３３を設けた自動販売機であって、前記照明灯３２，３３として冷陰極管（Cold Cathode Fluorescent Lamp）を用い、前記照明灯３２，３３が自動販売機の前面から目に触れたとしても眩しくなく利用者に不快感を与えることがないようにし、また、前記商品展示台３１を透明な材料により形成し、商品展示台３１に載置された商品見本３０３が空中に浮かんで静止しているように展示し、商品見本を際立たせる。【選択図】      図３
2006244369.tif 000002
【特許請求の範囲】
【請求項１】
キャビネット本体の前面に開閉自在な外扉を備え、前記外扉に区画形成された商品展示室内に展示される商品見本を照明する照明灯を設けた自動販売機において、前記照明灯として冷陰極管を用いたことを特徴とする自動販売機。
【請求項２】
キャビネット本体の前面に開閉自在な外扉を備え、前記外扉に区画形成された商品展示室内に展示される商品見本を照明する照明灯を設けた自動販売機において、前記照明灯として冷陰極管を用い、前記冷陰極管は高電圧が印加されるリード線側を一端として他端側のリード線に接続されるハーネスを一端側に折り返して一端側からそれぞれのハーネスを引出して点灯制御用のインバータを接続し、当該インバータにより一端側のリード線に高電圧を印加するようにしたことを特徴とする自動販売機。
【請求項３】
キャビネット本体の前面に開閉自在な外扉を備え、前記外扉に区画形成された商品展示室内に展示される商品見本を照明する照明灯を設けた自動販売機において、前記照明灯として冷陰極管を用い、前記冷陰極管からなる照明灯を商品展示室の前面側に配設した際、冷陰極管に高電圧を印加して点灯制御するインバータを商品展示室の周縁に配設したことを特徴とする自動販売機。
【請求項４】
キャビネット本体の前面に開閉自在な外扉を備え、前記外扉に区画形成された商品展示室内に展示される商品見本を照明する照明灯を設けた自動販売機において、前記照明灯として冷陰極管を用い、前記冷陰極管からなる照明灯を商品展示室を区画形成する中扉に配置した際、中扉の背面にインバータを配設したことを特徴とする自動販売機。
【請求項５】
キャビネット本体の前面に開閉自在な外扉を備え、前記外扉に区画形成された商品展示室内に展示される商品見本を照明する照明灯を設けた自動販売機において、前記照明灯として冷陰極管を用い、商品展示台を透明な材料で形成したことを特徴とする自動販売機。
【請求項６】
請求項５記載の自動販売機において、商品展示台は個別に形成されていることを特徴とする自動販売機。
【請求項７】
請求項５記載の自動販売機において、商品展示台の商品載置部に商品見本を取付ける商品見本保持板が着脱自在に装着されていることを特徴とする自動販売機。
【発明の詳細な説明】
【技術分野】
【０００１】
この発明は、缶入り飲料や瓶入り飲料、あるいはペットボトル入り飲料等の商品を販売する自動販売機に関し、詳しくは外扉に区画形成された商品展示室内に商品見本を並べて展示する自動販売機に関する。
【背景技術】
【０００２】
周知のように自動販売機はキャビネット本体の前面に開閉自在な外扉が配設され、キャビネット本体の庫内には商品を収容した商品収納ラック（例えば、サーペンタイン式商品収納ラック）が配備され、この商品収納ラックに収容した商品を冷却／加熱ユニットにより冷却または加温して冷蔵保存または加熱保存している。前記外扉には商品見本を展示する商品展示室が区画形成されるとともに商品展示室内には販売する商品の商品見本を載置して展示する商品展示台が上下方向に複数段並設されている。商品展示室の前面はプラスチック製の透明板で覆われており、この透明板の前面に前記商品展示台に載置された商品見本に対応して商品選択ボタンが設けられている。前記商品展示台には左右方向に複数の商品見本が載置して取付けられ、この商品見本は商品展示室内に設けた蛍光灯により照明されるように構成されている（例えば、特許文献１参照）。
【特許文献１】特開平１０−７９０７８号公報
【発明の開示】
【発明が解決しようとする課題】
【０００３】
前記蛍光灯は商品見本を上方向から照明するため商品展示室の天面側と商品展示台の下部に配置されている。例えば、商品展示台が上下に３段並設されている場合、上段の商品展示台の商品見本は商品展示室の天面側に配置された蛍光灯で照明され、中段の商品展示台の商品見本は上段の商品展示台の下面に設けた蛍光灯で照明され、下段の商品展示台の商品見本は中段の商品展示台の下面に設けた蛍光灯で照明されるように構成されている。なお、商品見本が光透過性の部材により構成され、商品見本の底部に形成した穴から商品見本の内部に光を導入して商品見本が発光するように展示されるものにあっては、商品展示台に孔を形成して商品展示台の下部に設けた蛍光灯の光を商品見本の内部に導入して送品見本の内部から照明するようにしたものもある。
ここで、商品展示室（自動販売機）の前面から蛍光灯が見えるように配設されている場合、蛍光灯自体が目立って商品見本の展示効果が低減するともに利用者が蛍光灯を直視した場合には目が眩んでしまうので不快感を与えてしまう。このため、商品展示室の前面から蛍光灯が見えることがないように構成されている。この場合、商品展示室の天面側に設けた蛍光灯は商品展示室の縁に位置することから商品展示室上方の前面から目視できない位置に配設することができる。しかしながら、商品展示室の中央、すなわち、商品展示台の下部に設けた蛍光灯は目隠しをしなければならない。この目隠しは、一般的には商品展示台を下面が開放した箱形に形成し、その箱の中に蛍光灯を配設して蛍光灯が商品展示台で覆われるように構成し、これによって自動販売機の前面から蛍光灯が目視できないようにされている。このため、商品展示台は光を遮断する板金によって形成されており、さらに蛍光灯を覆うために比較的大きな外形形状となり、商品展示室に占める商品展示台の割合が大きくなる。前記商品展示台は見栄えをよくするために白色の塗料により塗装されているとはいえ、商品展示室に占める割合が大きくなることから、商品展示台自体が目立ってしまい商品見本が霞んでしまうという問題を有する。また、商品展示台が重量の重いものとなり、商品展示台を支持する中扉が傾く要因となっている。
そこで、本発明は上記の点に鑑みなされたものであり、商品見本を照明する照明灯が利用者の目に触れたとしても利用者に不快感を与えることのない自動販売機を提供することを第１の目的とし、また、商品見本を際立たせて展示することが可能な商品展示台を備えた自動販売機を提供することを第２の目的とする。
【課題を解決するための手段】
【０００４】
上記第１の目的を達成するために本発明は、キャビネット本体の前面に開閉自在な外扉を備え、前記外扉に区画形成された商品展示室内に展示される商品見本を照明する照明灯を設けた自動販売機において、前記照明灯として冷陰極管を用いたことを特徴とする（請求項１）。
また、前記冷陰極管は高電圧が印加されるリード線側を一端として他端側のリード線に接続されるハーネスを一端側に折り返して一端側からそれぞれのハーネスを引出して点灯制御用のインバータを接続し、当該インバータにより一端側のリード線に高電圧を印加するようにしたことを特徴とする（請求項２）。
さらに、前記冷陰極管からなる照明灯を商品展示室の前面側に配設した際、冷陰極管に高電圧を印加して点灯制御するインバータを商品展示室の周縁に配置した化粧板などに配設するのがよく（請求項３）、また、冷陰極管からなる照明灯を商品展示室を区画形成する中扉に配置した際、中扉の背面にインバータを配設するのがよい（請求項４）。
【０００５】
また、前記第２の目的を達成するために本発明は、キャビネット本体の前面に開閉自在な外扉を備え、前記外扉に区画形成された商品展示室内に展示される商品見本を照明する照明灯を設けた自動販売機において、前記照明灯として冷陰極管を用い、商品展示台を透明な材料で形成したことを特徴とする（請求項５）。
この場合、商品展示台は個別に形成するのがよく（請求項６）、また、商品展示台の商品載置部に商品見本が取付けられる商品見本保持板を着脱自在に装着するのがよい（請求項７）。
【発明の効果】
【０００６】
本発明の請求項１に記載した自動販売機によれば、照明灯として冷陰極管を用いたことにより自動販売機の前面から照明灯に目が触れたとしても目が眩むことがないので利用者に不快感を与えることがないという効果を有する。
また、請求項２，３および４に記載した自動販売機によれば、冷陰極管を点灯制御するインバータからの高電圧が印加されるハーネスを引き回す長さを短くして漏れ電流により電圧が不足して完全放電しなくなくことを防止することができるという効果を有する。
また、本発明の請求項５に記載した自動販売機によれば、商品展示台が透明であることから商品展示台に載置された商品見本は恰も空中に浮かんで静止しているような展示を行うことができるので商品見本を際立たせることが可能となる。また、請求項６に記載の自動販売機によれば、機種ごとに展示する商品見本の数が異なる場合にも、商品見本の数に応じた商品展示台を用意すればよいので、商品展示台は全機種に共通に用いることができる。さらに、請求項７に記載の自動販売機によれば、顧客ごとに展示する商品見本の係合方式が異なる場合にも、商品見本の係合方式に合致する商品見本保持板を交換するのみで全ての顧客に対応でき、商品展示台を全ての顧客に共通に用いることが可能となる効果を有する。
【発明を実施するための最良の形態】
【０００７】
以下、本発明の実施の形態を図１乃至図１３に示す実施例に基づいて説明する。図１は本発明の一実施例を示す自動販売機の正面図であり、図２は図１の側面図である。
図において、１は前面が開放された断熱筐体からなるキャビネット本体であり、断熱内扉で閉塞された庫内には商品を収容した商品収納ラック，庫内の商品を冷却もしくは加熱する冷却／加熱ユニットが配設されている。２はキャビネット本体１にヒンジ結合されてキャビネット本体１の前面を開閉する片開き式の外扉であり、この外扉２には商品展示室３，金額表示器４，紙幣挿入口５，硬貨投入口６，返却レバー７，商品取出口８，硬貨返却口９が設けられている。前記商品取出口８と硬貨返却口９とを設けた取出口組立体１０は、図２から理解できるように、外扉２の前面から前方に突出した半円筒形状に形成されている。また、図示していないが、外扉２をキャビネット本体１にロックするロック機構をキーにより開錠，施錠する扉ロック手段も設けられている。
図３は外扉２に形成された商品展示室３の断面図を示し、商品展示室３は外扉２にヒンジ結合された中扉３０１と外扉２の前面に取付けられたプラスチック製の透明板３０２との間に区画形成されている。前記中扉３０１には商品見本３０３を載置した商品展示台３１が取付部材３５を介して取付けられるともに、商品見本３０３を背後から照明する冷陰極管（Cold Cathode Fluorescent Lamp）からなる照明灯３２が取付けられている。前記商品見本３０３に対応して商品選択ボタン３０４が透明板３０２を貫通して取付けられ、前記商品選択ボタン３０４は外扉２に固着されたボタン取付金具３０５により支持されている。ボタン取付金具３０５と透明板３０２との間にはスペーサ３０６が配設され、このスペーサ３０６により透明板３０２をボタン取付金具３０５に結合させて透明板３０２が波打つのを抑制している。前記ボタン取付金具３０５の背面には商品見本３０３を前方より照明する冷陰極管（Cold Cathode Fluorescent Lamp）からなる照明灯３３が取付けられている。冷陰極管からなる照明灯３２，３３は液晶ディスプレイのバックライトとして良く知られているものであり、この照明灯３２，３３は目に触れたとしても眩しく感じることがないとともに周囲を明るく照明することができるものである。
【０００８】
次に商品展示台３１の構成を図４を用いて説明する。図４において、３１で再び商品展示台を示し、この商品展示台３１は透明なプラスチック成形品からなり、商品見本ごとに個別に設けられている。前記商品展示台３１の商品載置部となる上面３１ａと下面３１ｂとの間は貫通穴３１ｃが形成されており、上面３１ａの左右両端には前後方向に延びる保持溝３１ｄが形成されている。また、商品展示台３１の前壁３１ｅは前方に傾斜して形成され、その前面は光透過性材料からなる冷温表示部材３１１を装着する冷温表示部として形成されている。この冷温表示部は左右両側に形成した表示部材保持溝３１ｆを有し、この表示板保持溝３１ｆに冷温表示部材３１１が挿入され、また、交換のために引き抜かれる。前記商品展示台３１の後壁３１ｇは垂直壁として形成され、かつ、後壁３１ｇから後方に突出する鉤状のフック（不図示）が形成されている。
前記商品展示台３１の前記上面３１ａの保持溝３１ｄには商品見本保持板３１２が差し込まれる。前記商品見本保持板３１２は貫通孔３１ｃに対向する位置に孔３１３が形成されるとともに当該孔３１３の周縁に商品見本の底部（又は下部）に設けた係合爪と係合する係合溝３１４（この実施例では一対）が形成されている。また、商品見本保持板３１２には商品展示台３１の上面３１ａに形成した係合爪３１ｈと係合する係合孔３１５が形成され、この係合孔３１５は商品見本保持板３１２を商品展示台３２の上面に装着した際に前記係合爪３１ｈと係合することにより商品見本保持板３１２の抜け止めを行うものである。この商品見本保持板３１２は顧客ごとに異なる商品見本の係合方式、すなわち、商品見本の底部または下部に設けた係合爪の数や形状に対応して複数種類が用意されている。従って、顧客に応じた商品見本保持板３１２を商品展示台３１装着することにより商品展示台３１を共用することができるものであり、顧客ごとに商品展示台を用意する必要がない。
【０００９】
図５は前述した商品展示台３１を中扉３０１（図１参照）に固着した取付部材３５に装着する状態を示す。図５に示すように、取付部材３５は展開状態では長尺の薄い板金の上下両端を折り曲げて形成され、取付部材３５の前面には左右に並べて並設される商品展示台３１の数に応じた係合孔３５ａが穿孔されている。この係合孔３５ａには商品展示台３１の後壁３１ｇに形成したフック（不図示）が嵌め込まれる。このように商品展示台３１を取付部材３５に引っ掛け方式により取付けられることにより商品展示台３１が横一列に整然と整列される。
このように透明な商品展示台３１を用いることにより、商品展示台３１に載置された商品見本が恰も空中に浮かんで静止しているように展示することができ、商品見本を際立たせて利用者に興味を持たせたり、引き付けることが可能となる。また、商品展示台３１を商品見本ごとに個別に設けることにより、機種ごとに展示する商品見本の数が異なる場合にも、商品見本の数に応じた係合孔３５ａが穿孔された取付部材３５を交換するのみでよく、商品展示台３１は全機種に共通に用いることができる。
【００１０】
次に、商品見本３０３を照明する照明灯３２，３３の構成を図６を用いて説明する。なお、照明灯３２，３３は同一の構成であるので、図６では照明灯３２を代表して示している。
図６（ａ）は照明灯３２の斜視図であり、図６（ｂ）は照明灯３２の断面図である。図６（ｂ）に示すように、冷陰極管（Cold Cathode Fluorescent Lamp）３２１は光透過性の樹脂からなるパイプ３２２によって保護されており、パイプ３２２の両端は冷陰極管３２１の両端を支持するソケット３２３，３２４に嵌め込まれている。ソケット３２４においては冷陰極管３２１の他端から引き出されたリード線に接続したハーネスが折り返すように配線され、その折り返されたハーネス３２５はパイプ３２２における照射方向と反対側の端部に形成したハーネス保持溝３２２ａを通ってソケット３２３側に導かれる。ソケット３２３からは冷陰極管３２１の一端から引き出されたリード線に接続されたハーネス３２６とソケット３２４側から折り返して導かれたハーネス３２５とが引き出されている。ソケット３２３から引き出されたハーネス３２５，３２６は冷陰極管３２１を点灯するインバータ３２７に接続されている。この場合、冷陰極管３２１の一端側（ソケット３２３側）を高電圧側とし、ハーネス３２６を引き回す長さを短くして漏れ電流により電圧が不足して完全放電しなくなることを防止している。前記ソケット３２４には、図６（ｂ）に示すように上下方向の取付溝３２４ａが形成されており、取付溝３２４ａの中間位置には抜け止め突起３２４ｂが形成されている。なお、ソケット３２３にも同様の取付溝が形成されているものである。
【００１１】
前記した照明灯３２，３３の取付け状態を図７および図８により説明する。図７は外扉２の商品展示室３における透明板３０２の背面に配設されたボタン取付金具３０５への照明灯３３の取付け状態を示し、商品展示室３の前面を覆う透明板３０２を背面から見た図である。ここで、商品展示室３は図３に示したように、前後面が中扉３０１と透明板３０２で区画形成されており、その周縁が図７に示した天板３４１，底板３４２，右側板３４３，および左側板３４４で覆われている。商品展示室３には左右に横切るように商品選択ボタン３０４（図３参照）を支持するボタン取付金具３０５が配設され、このボタン取付金具３０５の両端が右側板３４３と左側板３４４に固定されている。ボタン取付金具３０５前面側には透明板３０２との間に配設されるスペーサ３０６が取付けられている。３４５〜３４８はそれぞれ商品展示室３の天板３４１，底板３４２，右側板３４３，および左側板３４４の商品展示室３側に配設されて化粧枠である。
【００１２】
前記ボタン取付金具３０５の背面には図６で説明した照明灯３３が左右に並べてそれぞれ２個取付けられる。それぞれのボタン取付金具３０５の背面には照明灯３３のソケット３２３，３２４に形成した取付溝（図６（ｂ）の取付溝３２４ａ参照）が嵌め込んで固着される固着片（不図示）が突設して形成されている。そして、前記固着片にソケット３２３，３２４のそれぞれの取付溝を嵌め込むことにより照明灯３３が取付けられている。それぞれの照明灯３３はハーネス３２５，３２６（図６参照）が引き出されるソケット３２３がそれぞれ左右側板３４４,３４３側に位置するように取付けられ、それぞれのハーネス３２５，３２６に接続される、照明灯３３（冷陰極管）を点灯するインバータ（不図示）は左右側板３４４,３４３に取付けられている。このように照明灯３３（冷陰極管）を点灯するインバータ（不図示）を左右側板３４４,３４３に取付けることによりハーネス３２６（高電圧側）の引き回し長さを短くし、これにより漏れ電流により電圧が不足することによって完全放電しなくなることを防止している。
図８は中扉３０１への照明灯３２の取付け状態を示している。中扉３０１は薄板鋼板の表面を白色塗料により塗装したものであり、その左端には外扉２に固着されたヒンジ（不図示）とヒンジ結合するためのヒンジ部材３５１,３５１が固着され、右端には中扉３０１を閉じた際に外扉２に中扉３０１を閉状態にロックするロック金具３５２が取付けられている。前記中扉３０１の前面には照明灯３２を保持する取付金３６が上下３段で、かつ、左右に２個ずつ固着されている。この取付金３６は図９に示すように、中間に段差を有し、下端が前方に折り曲げられるように形成されており、また、左右両端には下段側の端部を外方に延在させてソケット取付部３６１として形成している。前記取付金３６の前面には照明灯３２が次のように配設される。すなわち、前記照明灯３２はその両端に設けたソケット３２３,３２４の取付溝（図９では取付溝３２４ａを示す）を前記取付金３６のソケット取付部３６１に嵌め込んで取付けられている。
【００１３】
図８に戻り、前記中扉３０１には、照明灯３２に近接した位置に３辺を切断して前方へ切り起こしたインバータ配設部３５３が形成され、インバータ配設部３５３の背面に照明灯３２（冷陰極管）を点灯するインバータ（不図示）が取付けられている。このように照明灯３２（冷陰極管）を点灯するインバータ（不図示）をインバータ配設部３５３に取付けることによりハーネス３２６（高電圧側）の引き回し長さを短くし、これにより漏れ電流により電圧が不足することによって完全放電しなくなくことを防止している。
次に、図１０は紙幣挿入口５，硬貨投入口６，返却レバー７からなる操作部の断面を示す。図において、紙幣挿入口５は挿入ガイド部５１が斜め上方向を向くように形成され、この紙幣挿入口５と紙幣通路が連通する紙幣識別装置５２が外扉２の背面に取付金具５３を介して取付けられている。紙幣識別装置５２は従来の紙幣識別装置を逆さにして配置したものであり、紙幣挿入口５から挿入された紙幣を上方向に搬送して真偽判別を行い、真と判定された紙幣を紙幣保留部に集積し、偽と判定された紙幣を紙幣挿入口５に返却するものである。紙幣挿入口５の下方には返却レバー７が配設され、この返却レバー７の下方には硬貨投入口６が配設されている。
【００１４】
硬貨投入口６には硬貨一枚を受け入れる凹所が形成された硬貨受具６１が前方に突出するように取付けられ、硬貨受具６１の凹所に硬貨を投入すれば硬貨が取り込まれるように構成されている。硬貨投入口６に連通して外扉２の背面には硬貨シュート６２およびコインメック６３が配設され、硬貨受具６１の凹所に投入された硬貨は硬貨シュート６２を介してコインメック６３に導かれて真偽が判定される。
図１０に示したように、返却レバー７を挟んで上下に紙幣挿入口５および硬貨投入口６を近接して配設したことにより、紙幣および硬貨の投入位置が一箇所に集中することから、紙幣または硬貨のいずれを使用しても略同一位置で紙幣の挿入操作もしくは硬貨の投入操作を行うことができ利用者の利便性が向上する。そして、紙幣挿入口５と硬貨投入口６との間に返却レバー７が配置されていることから紙幣挿入口５または硬貨投入口６から返却レバー７までの距離が略等距離となり、返却時の操作性が改善され利用者の利便性が向上する。
【００１５】
次に、図１１は商品取出口８および硬貨返却口９を構成する取出口組立体１０を示し、この取出口組立体１０は図２に示したとおり、外扉２の前面から前方に突出した半円筒形状に形成されている。取出口組立体１０は左右の半円形状の化粧枠側板１０１、１０１、化粧枠下板１０２、および化粧枠上板１０３からなる。前記化粧枠上板１０３には商品取出口８および硬貨返却口９が開口され、商品取出口８と硬貨返却口９とが横一列に配列して一体化して配設されている。なお、取出口組立体１０が半円筒形状に外扉２から前方へ突出していることから硬貨返却口９も従来の自動販売機に対して前方に位置することになるが、コインメック６３（図１０参照）と硬貨返却口９との間には当該コインメック６３から排出された硬貨を硬貨返却口９に導くコインシュート（不図示）が設けられている。
前記化粧枠上板１０３の内側には商品取出口８および硬貨返却口９を開閉する透明なプラスチック材からなるフラップ１１が上下方向にスライド可能に配設されている。なお、８１はフラップ１１の表面に貼着した銘板８１である。
前記フラップ１１は図１２に示すように、化粧枠上板１０３と同一の曲率をもって湾曲形成され、上下両端を額縁状の補強部材１２で保持されている。すなわち、補強部材１２の上縁には断面コ字形の保持部１２１が形成されており、この保持部１２１にフラップ１１の上端が嵌合保持されている。一方、フラップ１１の下縁には断面コ字形の保持部１１１が形成され、この保持部に補強部材１２の下縁を差し込んで両者を結合することによりフラップ１１の下端が補強部材１２に保持されている。前記補強部材１２の左右両端には回転支点となる軸１００に軸支された脚片１３（図１２では左端側の脚片のみ示されている）が設けられ、補強部材１２に保持されたフラップ１１は軸１００を中心として上下方向にスライド移動する。前記したように補強部材１２によりフラップ１１の上下両端を保持することによりプラスチックからなる広幅のフラップ１１の剛性を高めてフラップ１１が破損することを防止できる。
【００１６】
図１２に示すように、前記取出口組立体１０の化粧枠下板１０２にはフラップ１１の下端が当接するガスケット１４が取付けられている。このガスケット１４の前面側は商品取出口８の内側に凹むように形成され、その凹みの前面側にフラップ１１の下端が位置するように構成することにより、ガスケット１４の凹みに指を差し入れてフラップ１１を押し上げることによりフラップ１１は上方向にスライド移動する。
なお、図１２において、１５は外扉２の懐に配備された商品受部材であり、この商品受部材１５の底面にはクッション１６が着脱自在に取付けられている。また、１７は外扉２に固着され、商品収納ラックから搬出された商品を受け入れる空間を区画する側板であり、この側板１７に前記補強部材１２の脚片１３を軸支する軸１００が固着されている。
次に、前記フラップ１１の開閉について説明すると、図１２に示すガスケット１４の凹みに指を差し入れてフラップ１１を押し上げることによりフラップ１１は補強部材１２の脚片１３の軸支点（軸１００）を中心に揺動して上方向にスライド移動する。フラップ１１が上方向にスライド移動した状態を図１３に示し、フラップ１１が図１３に示す上限位置までスライド移動することにより商品取出口８の開口が全開されるとともに硬貨返却口９も全開される。これにより商品の取出しと同時に釣銭の取出しを行うことができる。図１３に示すようにフラップ１１が上方向の上限位置までスライド移動した状態においてフラップ１１の重心は軸１００よりも前方側に位置するように定められている。従って、フラップ１１を上下位置までスライド移動させた後に手を離すとフラップ１１はその自重により下方向にスライド移動して商品取出口８および硬貨返却口９を閉じる。
前述したように、商品取出口８と硬貨返却口９とを横一列に配列して一体化したことにより商品および釣銭の取出しの利便性が向上し、さらに、商品取出口８および硬貨返却口９がフラップ１１の開閉により同時に開放・閉鎖するようにすることによって従来装置のようにそれぞれの商品取出口および硬貨返却口のフラップを操作して取出すものに対してそれぞれのフラップを開閉する時間を省いて利便性を更に向上することができる。また、商品の販売動作により販売された商品は商品受部材１５の上に搬出されるが、この商品受部材１５の上に搬出された商品は透明で円弧状に形成されたフラップ１１を透かして目視することができ、利用者は商品が搬出されたことを容易に知ることができる。
【００１７】
なお、硬貨投入後に商品の購入を取り止めて返却レバーが操作された場合には投入した硬貨の金額に相当する硬貨が硬貨返却口９に返却され、また、投入した硬貨がコインメックにより受付けられなかった場合にも当該硬貨が硬貨返却口９に返却される。この場合、前記実施例では商品取出口８および硬貨返却口９を開閉するフラップ１１を共用化していることからフラップ１１を開閉して硬貨返却口９から硬貨を取出す必要がある。このため、硬貨返却口９から硬貨を取出す場合はフラップ１１を開けるなどの取扱い操作（操作説明）を表記した銘板８１をフラップ１１の表面に貼着したり、プラップ１１に直接刻印しておくのが望ましい。この銘板８１もしくは刻印によりフラッパ１１の存在を利用者に認知させることができ、利用者がフラッパ１１の存在に気付かずにフラッパ１１に手を打ち当ててしまうことをなくすことができる。
【００１８】
また、前記実施例では、商品展示台が個別に形成したものについて説明したが、商品展示台を個別に形成することなく、従来と同様に複数の商品見本を一括して載置する構成とした場合にも商品展示台が透明であれば商品見本が空中に浮かんでいるように展示することができる。従って、複数の商品見本を一括して載置する構成の商品展示台を透明としたものも本発明に含まれるものである。
【図面の簡単な説明】
【００１９】
【図１】本発明の一実施例を示す自動販売機の自動販売機の正面図
【図２】図１の自動販売機の側面図
【図３】図１の外扉に形成された商品展示室の断面図
【図４】商品展示台の分解斜視図
【図５】図４の商品展示台を取付け状態を説明する図
【図６】照明灯を説明する図であり、（ａ）は照明灯の斜視図、（ｂ）は照明灯の断面図
【図７】図６に示す照明灯のボタン取付金具への取付け状態を説明する図
【図８】図６に示す照明灯の中扉への取付け状態を説明する図
【図９】図８の取付金への照明灯（ソケット）の取付け状態を説明する要部拡大斜視図
【図１０】紙幣挿入口，硬貨投入口，返却レバーからなる操作部の断面図
【図１１】商品取出口と硬貨返却口とを備えた取出口組立体の正面図
【図１２】商品取出口を示し、フラップが商品取出口の開口を閉鎖した状態の断面図
【図１３】商品取出口を示し、フラップが上方向の上限位置までスライド移動した状態の断面図
【符号の説明】
【００２０】
１    キャビネット本体
２    外扉
３    商品展示室
５    紙幣挿入口
６    硬貨投入口
７    返却レバー
８    商品取出口
９    硬貨返却口
１０    取出口組立体
１１    フラップ
１２    補強部材
１３    脚片
３１    商品展示台
３２，３３    照明灯（冷陰極管）
３０１    中扉
３０２    透明板
３０４    商品選択ボタン
３０５      ボタン取付金具
３０６      スペーサ
３１２      商品見本保持板
３２１      冷陰極管
３２２      パイプ
３２３，３２４      ソケット
３２５，３２６      ハーネス
【図１】
2006244369.tif 000003
【図２】
2006244369.tif 000004
【図３】
2006244369.tif 000005
【図４】
2006244369.tif 000006
【図５】
2006244369.tif 000007
【図６】
2006244369.tif 000008
【図７】
2006244369.tif 000009
【図８】
2006244369.tif 000010
【図９】
2006244369.tif 000011
【図１０】
2006244369.tif 000012
【図１１】
2006244369.tif 000013
【図１２】
2006244369.tif 000014
【図１３】
2006244369.tif 000015